(57)【要約】【課題】  不特定多数のプリンタ装置で一つのＳＤメモリカードを使用する場合、そのメモリカードに格納されたデータによっては、従来使用していたプリンタ装置以外では印刷できない可能性がある。【解決手段】  記憶装置を着脱可能なデータ処理装置及びその制御方法であって、記憶装置に、自機で使用するデータを格納する第１領域と、他機と共通で使用するデータを格納する第２領域とを確保し、自機で使用するデータを第１領域に格納し、他機と共通で使用するデータを、当該他機と共通で使用可能なフォーマットで第２領域に格納する。【選択図】  図５
2013003608.tif 000002
【特許請求の範囲】
【請求項１】
記憶装置を着脱可能なデータ処理装置であって、
前記記憶装置に、自機で使用するデータを格納する第１領域と、他機と共通で使用するデータを格納する第２領域とを確保する確保手段と、
自機で使用するデータを前記第１領域に格納し、他機と共通で使用するデータを、当該他機と共通で使用可能なフォーマットで前記第２領域に格納する格納制御手段と、
を有することを特徴とするデータ処理装置。
【請求項２】
前記記憶装置に格納されたデータの削除が指示されると、当該データが前記第１領域に格納されていると当該データを削除し、前記データが前記第２領域に格納されていると当該データを削除するかどうかをユーザに問い合わせる制御手段を更に有することを特徴とする請求項１に記載のデータ処理装置。
【請求項３】
前記記憶装置の前記第１領域に記憶されたデータのうち、処理対象のデータを選択するための選択手段を更に有することを特徴とする請求項１又は２に記載のデータ処理装置。
【請求項４】
前記他機と共通で使用可能なフォーマットのデータは、ビットマップデータ或いはディスプレイリストであることを特徴とする請求項１乃至３のいずれか１項に記載のデータ処理装置。
【請求項５】
前記記憶装置を複数装着する場合、一方を自機専用の記憶装置とし、他方を他機と共通して使用可能な記憶装置とし、これら複数の記憶装置に格納されたデータから、他機と共通で使用するデータで一致するものは、いずれか一方のデータのみを処理対象とすることを特徴とする請求項１に記載のデータ処理装置。
【請求項６】
記憶装置を着脱可能なデータ処理装置であって、
前記記憶装置に、自機で使用するデータと自機を識別する識別情報とを格納する第１の格納制御手段と、
前記識別情報を前記記憶装置に格納することなく、他機と共通で使用するデータを、当該他機と共通で使用可能なフォーマットで前記記憶装置に格納する第２の格納制御手段と、
を有することを特徴とするデータ処理装置。
【請求項７】
記憶装置を着脱可能なデータ処理装置を制御する制御方法であって、
前記記憶装置に、自機で使用するデータを格納する第１領域と、他機と共通で使用するデータを格納する第２領域とを確保する確保工程と、
自機で使用するデータを前記第１領域に格納し、他機と共通で使用するデータを、当該他機と共通で使用可能なフォーマットで前記第２領域に格納する格納制御工程と、
を有することを特徴とするデータ処理装置の制御方法。
【発明の詳細な説明】
【技術分野】
【０００１】
本発明は、記憶装置を着脱可能なデータ処理装置及びその制御方法に関するものである。
【背景技術】
【０００２】
近年、コンピュータ（ＰＣ）等の上位装置より送信されるデータを受信し、そのデータに基づいて印刷するプリンタ装置において、その装置に記憶装置を装着してデータストレージの機能を拡張して様々な機能を提供できる装置が出現している。例えば、上位装置等より受信したデータを、その装着された記憶装置に格納し、再度、そのデータを印刷したい場合には、そのプリンタ装置の操作部を操作して、その格納されたデータを選択して印刷できるプリンタ装置が提供されている。このような記憶装置としては、以前はＨＤＤ（ハードディスクドライブ）が使用されていたが、近年は、ＨＤＤよりも取扱いが容易な、大容量のＳＤ（Ｓｅｃｕｒｅ  Ｄｉｇｉｔａｌ）メモリカードが使用されている（特許文献１参照）。
【先行技術文献】
【特許文献】
【０００３】
【特許文献１】特開２００８−３０７７４５号公報
【発明の概要】
【発明が解決しようとする課題】
【０００４】
ＳＤメモリカードは、装置への脱着が比較的容易で取扱いが容易であるため、一つのメモリカードを特定のプリンタ装置で専用に使用するだけでなく、不特定多数のプリンタ装置に装着して使用することが想定される。また、プリンタ装置を置き換える場合や、不具合が発生して部品交換などが必要な場合においても、従来使用していたＳＤメモリカードを使用し、そのメモリカードに格納されたデータをそのまま有効に使用したいという要望もある。とはいえ、不特定多数のプリンタ装置で一つのＳＤメモリカードを使用する場合、そのメモリカードに格納されたデータによっては、従来使用していたプリンタ装置以外では印刷できない可能性がある。
【０００５】
本発明の目的は、上記従来技術の問題点を解決することにある。
【０００６】
本発明の特徴は、記憶装置を複数のデータ処理装置で共通に使用する場合、その記憶装置に記憶されているデータを用いて他のデータ処理装置で処理を可能にする技術を提供することにある。
【課題を解決するための手段】
【０００７】
上記目的を達成するために本発明の一態様に係るは以下のような構成を備える。即ち、  記憶装置を着脱可能なデータ処理装置であって、
前記記憶装置に、自機で使用するデータを格納する第１領域と、他機と共通で使用するデータを格納する第２領域とを確保する確保手段と、
自機で使用するデータを前記第１領域に格納し、他機と共通で使用するデータを、当該他機と共通で使用可能なフォーマットで前記第２領域に格納する格納制御手段とを有することを特徴とする。
【０００８】
また、記憶装置を着脱可能なデータ処理装置であって、
前記記憶装置に、自機で使用するデータと自機を識別する識別情報とを格納する第１の格納制御手段と、
前記記憶装置に前記識別情報を格納することなく、他機と共通で使用するデータを、当該他機と共通で使用可能なフォーマットで前記第２領域に格納する第２の格納制御手段と、
を有することを特徴とする。
【発明の効果】
【０００９】
本発明によれば、記憶装置を複数のデータ処理装置へ装着しても、その記憶装置に格納されたデータを選択して処理することが可能となる。
【図面の簡単な説明】
【００１０】
【図１】実施形態に係るデータ処理装置に記憶装置を装着する一例を説明する図。
【図２】本実施形態に係るプリンタの構成を示すブロック図。
【図３】本実施形態に係るメモリカードへのデータの格納方法を説明する図。
【図４】本実施形態に係るプリンタにメモリカードが装着された場合の処理を示すフローチャート。
【図５】本実施形態に係るプリンタにおいてメモリカードにデータを格納する場合の処理を説明するフローチャート。
【図６】本実施形態に係るプリンタにおいてメモリカードにデータを格納する場合の処理を説明するフローチャート。
【図７】本実施形態に係るプリンタにおいて、メモリカードに格納されたデータを削除する場合の処理を説明するフローチャート。
【図８】本実施形態に係るプリンタにおいて、メモリカードに格納されたデータを削除する場合の処理を説明するフローチャート。
【図９】本発明の他の実施形態に係るプリンタとメモリカードとの関連を説明する図である。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
図１は、本発明の実施形態に係るデータ処理装置に記憶装置（記憶デバイス）を装着する一例を説明する図である。
【００１３】
図１において、データ処理装置としてプリンタ１１〜１３を想定し、これらに共通に着脱可能な記憶装置として、ＳＤメモリカード１００（以下、メモリカード）を想定している。なお、着脱とは、データ処理装置に設けられたスロット、コネクタ、アンテナなどに記憶装置を接続したり、そこから記憶装置を外したりすることを含む。また、着脱とは、データ処理装置と非接触で通信可能な範囲に記憶装置を入れたり、その範囲外に記憶装置を出したりすることを含む。プリンタ１１にメモリカード１００を装着して、印刷ジョブの格納や、印刷ジョブのスプール等の主にストレージ等の機能拡張を実現させる。本実施形態としては、メモリカード１００は、主としてプリンタ１１に装着して使用する。メモリカード１００に格納されたデータをプリンタ１２やプリンタ１３等の他のプリンタで使用する場合は、そのメモリカード１００をプリンタ１１より取り外して（抜いて）、任意のプリンタに装着して使用することになる。
【００１４】
図２は、本実施形態に係るプリンタ１１の構成を示すブロック図である。尚、他のプリンタ１２、１３の構成も基本的には同じ構成である。
【００１５】
プリンタコントローラ２００は、このプリンタ１１の動作を制御している。ＣＰＵ２０３は、ＲＯＭ２０４に格納された制御プログラム等に従って、システムバス２１２に接続された各部を総括的に制御する。またプリンタエンジンＩ／Ｆ２０６を介して接続されるプリンタエンジン部（印刷部）２０１に出力情報としての画像信号を出力する。ＲＡＭ２０５は、ＣＰＵ２０３のメインメモリ、ワークエリア等を提供しており、図示しない増設ポートに接続されているオプションＲＡＭにより、そのメモリ容量を拡張することができる。尚、ＲＡＭ２０５は、印刷データに基づいて出力情報を作成して展開する領域等にも用いられる。操作部２０２は、プリンタ１１を操作するためのスイッチ及び表示器等が配置されており、操作部Ｉ／Ｆ２０７を介してシステムバス２１２と接続される。操作部２０２から入力されたモード情報等は、不揮発性メモリ２０９に記憶させるようにしても良い。ローカルＩ／Ｆ２１１はＵＳＢＩ／Ｆ等であり、ホストコンピュータ等の上位装置と直接接続され、印刷データ等のやり取りを行う。ネットワークＩ／Ｆ２０８は、図示しないネットワークとの間のデータのやり取りを制御している。またメモリカード１００等のメモリカードを装着するために、ＳＤＩＯ・Ｉ／Ｆ２１０を備えている。このＳＤＩＯ・Ｉ／Ｆ２１０にメモリカード１００を装着することで、このメモリカード１００にプリントジョブの格納やスプールが可能となる。更に、このメモリカード１００に格納されたデータを操作部２０２より指定することで、コンピュータ等の上位装置より再度印刷データを受信しなくても、以前受信して格納している印刷データに従って再度同じデータを印刷することが可能となる。
【００１６】
図３（Ａ）（Ｂ）は、本実施形態に係るメモリカード１００へのデータの格納方法を説明する図である。
【００１７】
図３（Ａ）においては、固有のプリンタで使用するデータを格納する固有データ格納領域（第１領域）３００と、複数のプリンタで共通して使用するデータを格納する共通データ格納領域（第２領域）３０１とを設けている。更に、固有データ格納領域３００では、図１に示すプリンタ１１、１２、１３用の格納領域（３００ａ〜３００ｃ）を確保し、各領域を各プリンタのＩＤで管理している。プリンタのＩＤは、プリンタを識別する識別情報として機能する。また共通データ格納領域３０１では、ＰＤＬ（ページ記述言語）の違い等が想定されるため、データをイメージ（ビットマップデータ）やＤＬ（ディスプレイリスト）等の共通フォーマットで格納する。
【００１８】
図３（Ｂ）は、データを格納する他の実施形態を説明する図で、印刷ジョブデータを固有のプリンタで印刷するように要求された場合、そのプリンタのＩＤを付加して印刷ジョブデータを格納する（３０３、３０５、３０６）。また、印刷ジョブデータを固有のプリンタに限らず、複数のプリンタのいずれかで印刷するように要求された場合は、プリンタのＩＤを付加せずに印刷データを格納する（３０４、３０７）。以下、プリンタのＩＤが付加されていない印刷データを共通データと称する。共通データとして格納する場合は、前述したようなイメージやＤＬ等の共通フォーマットで格納されることはいうまでもない。
【００１９】
図４は、本実施形態に係るプリンタにメモリカードが装着された場合の処理を示すフローチャートである。この処理を実行するプログラムはＲＯＭ２０４に格納されており、ＣＰＵ２０３の制御の下に実行される。
【００２０】
ここでは、例えばプリンタ１１でメモリカード１００を使用する場合で説明する。またメモリカード１００のデータフォーマットは、図３（Ａ）の例で説明する。
【００２１】
まずＳ４０１で、メモリカード１００が装着されたことを検出する。これは不図示のセンサにより検出できる。Ｓ４０２で、そのプリンタ１１の操作部２０２に、そのメモリカード１００を複数のプリンタで共通に使用するか、或いは初期化するかのいずれを選択するための画面を表示し、ユーザに選択させる。ここでユーザが初期化を選択すると、Ｓ４０８で、そのメモリカード１００に、固有データ格納領域３００及び共通データ格納領域３０１を確保する初期化処理を実行する。
【００２２】
一方、ユーザが複数のプリンタで共通に使用することを選択すると、Ｓ４０３で、メモリカード１００に、既に固有データ格納領域３００、共通データ格納領域３０１が確保されているか否かを判定する。ここで、固有データ格納領域３００、共通データ格納領域３０１が確保されていれば、Ｓ４０７で、メモリカード１００の共通データ格納領域３０１に格納されたデータを診断する。共通データ格納領域３０１に格納されているデータが共通で使用可能なデータであると判断すると、以降は、操作部２０２によるユーザの指示に従って印刷等の処理を行う。
【００２３】
一方、Ｓ４０３で、固有データ格納領域３００、共通データ格納領域３０１が確保されていないと判定すると、Ｓ４０５で、自機（プリンタ１１）の固有データ格納領域を確保可能か否かを判定する。ここで固有データ格納領域を確保できないと判定すると、Ｓ４０９で、プリンタの操作部２０２等の表示部に、共通データ格納領域のみの使用になる旨を示すメッセージを表示する。以下、共通データ格納領域のみの使用のことを共通使用モードと称する。
【００２４】
一方、Ｓ４０５で、自機の固有データ格納領域を確保可能と判定すると、Ｓ４０６で、メモリカード１００に固有データ格納領域を確保する。さらに、新たに確保した固有データ格納領域に自機（プリンタ１１）のＩＤを関連付ける。そしてＳ４０７で、メモリカード１００の共通データ格納領域３０１に格納されたデータを診断する。共通データ格納領域３０１に格納されたデータが共通で使用可能と判断した場合は、以降、操作部２０２の指示に従って、そのデータを印刷可能なデータとして処理を行う。
【００２５】
さらに、自機の固有データ格納領域３００が確保されている場合（Ｓ４０６で確保した場合を含む）には、プリンタ１１は、固有データ格納領域に格納されているデータを印刷したり、固有データ格納領域にデータを格納したりすることができる。
【００２６】
以上説明したようにして、メモリカードがプリンタに装着されたときに、そのメモリカードのデータフォーマットに従って、固有データ格納領域、或いは共通データ格納領域に印刷ジョブデータを格納することができる。これにより、そのメモリカードが複数のプリンタの間で共通に使用されても、そのメモリカードに記憶されている印刷データに従って、いずれのプリンタでも印刷を行うことができる。
【００２７】
図５は、本実施形態に係るプリンタにおいてメモリカード１００にデータを格納する格納制御処理を説明するフローチャートである。この処理を実行するプログラムはＲＯＭ２０４に格納されており、ＣＰＵ２０３の制御の下に実行される。尚、この処理は、メモリカード１００のデータフォーマットが図３（Ａ）の場合に対応している。
【００２８】
この処理は、ユーザによりメモリカードが装着されたプリンタが、上位装置から印刷ジョブを受信することにより開始される。まずＳ５００で、その印刷ジョブを受信する。次にＳ５０１で、その受信したジョブがメモリカード１００にデータを格納するジョブであるかどうかを判断し、データを格納する印刷ジョブであると判断するとＳ５０２に進む。この判断は、例えば、受信した印刷ジョブの属性が再印刷可能なジョブであることを示しているかどうか等により判定できる。
【００２９】
Ｓ５０２では、自機のみで再印刷するジョブか否かを判定する。自機のみで再印刷するジョブであると判定すると、Ｓ５０３で、図３（Ａ）に示すように、その印刷ジョブデータをメモリカード１００の固有データ格納領域３００に格納する。一方、Ｓ５０２で、他のプリンタでも印刷するジョブと判断した場合は、Ｓ５０４で、印刷ジョブデータを共通フォーマットに変換して、共通データ格納領域３０１に格納する。
【００３０】
またＳ５０１で、メモリカード１００にデータを格納するジョブでないと判断した場合は、Ｓ５０５で、印刷ジョブデータに基づく印刷を実行し、その印刷の終了後、メモリカード１００に、その印刷ジョブデータを格納しない。
【００３１】
図６は、本実施形態に係るプリンタにおいてメモリカード１００にデータを格納する場合の処理を説明するフローチャートである。この処理を実行するプログラムはＲＯＭ２０４に格納されており、ＣＰＵ２０３の制御の下に実行される。尚、この処理は、メモリカード１００のデータフォーマットが図３（Ｂ）の場合に対応している。また図６において、図５と共通するステップは同じ記号で示し、それらの説明を省略する。
【００３２】
Ｓ５０２において、自機のみでなく他のプリンタでも印刷するジョブと判断した場合は、Ｓ５１１で、受信した印刷ジョブデータを共通フォーマットに変換し、プリンタのＩＤを付加せずに格納する（第２の格納制御）。例えば、共通データ３０４及び３０７はＳ５１１で格納される。一方、Ｓ５０２で、自機でのみ再印刷を実行するジョブと判断した場合は、Ｓ５１０で、その印刷ジョブデータにプリンタのＩＤを付加して格納する（第１の格納制御）。例えば、印刷ジョブデータ３０３、３０５及び３０６はＳ５１０で格納される。
【００３３】
このようにして、自機でのみ再印刷する印刷ジョブと、他のプリンタでも再印刷される印刷ジョブとをそれぞれメモリカードの別々の領域に格納しておき、自機でのみ再印刷する印刷ジョブをプリンタのＩＤで管理する。これにより、その格納されている印刷ジョブを固有のプリンタで再印刷することができる。また他のプリンタでも再印刷される印刷ジョブは共通のフォーマットで格納することにより、仕様の異なる他のプリンタでも印刷することが可能になる。
【００３４】
図７は、本実施形態に係るプリンタにおいて、メモリカード１００に格納されたデータを削除する場合の処理を説明するフローチャートである。この処理を実行するプログラムはＲＯＭ２０４に格納されており、ＣＰＵ２０３の制御の下に実行される。尚、この処理は、メモリカード１００のデータフォーマットが図３（Ａ）の場合に対応している。
【００３５】
この処理は、操作部２０２等からメモリカード１００に格納されているデータの削除要求が入力されることにより開始される。まずＳ７００で、メモリカード１００に格納されているデータの削除要求を受け取る。これは操作部２０２に、例えばメモリカードのデータ一覧を表示し、その中から削除対象のデータをユーザに選択させることによりなされる。次にＳ７０１で、削除対象のデータがメモリカード１００の固有データ格納領域３００に格納されているデータであるか否かを判定する。固有データ格納領域３００に格納されているデータを削除する場合は、Ｓ７０４で、その選択された削除対象データを削除する。
【００３６】
一方、Ｓ７０１で、削除対象のデータが共通データ格納領域３０１に格納されたデータである場合は、Ｓ７０２で、操作部２０２等の表示部に、複数のプリンタで使用可能なデータを削除する旨のメッセージを表示する。それとともに、削除対象のデータを削除するか否かを選択するための画面を表示する。そしてＳ７０３で、削除対象のデータを削除するかどうかを、操作部２０２からの指示により判定し、削除の指示があればそのデータを削除するが、削除の指示がなければそのデータを削除しない。
【００３７】
上記では、削除対象のデータをユーザに選択させた後に、選択されたデータが固有データ格納領域３００に格納されているか否かを判定した。しかしながら、まず初めに、プリンタは、固有データ格納領域３００に格納されているデータを削除するか共通データ格納領域３０１に格納されているデータを削除するかをユーザに選択させてもよい。ユーザが固有データ格納領域３００に格納されているデータを削除することを選択した場合、プリンタは、固有データ格納領域３００に格納されているデータの一覧を操作部２０２に表示し、削除すべきデータをユーザに選択させる。ユーザが共通データ格納領域３０１に格納されているデータを削除することを選択した場合には、プリンタは、複数のプリンタで使用可能なデータを削除する旨のメッセージを操作部２０２に表示する。さらに、プリンタは、データを削除するか否かを選択するための画面を操作部２０２に表示する。そこで、削除の指示があった場合に、プリンタは、共通データ格納領域３０１に格納されているデータの一覧を操作部２０２に表示し、削除すべきデータをユーザに選択させる。
【００３８】
図８は、本実施形態に係るプリンタにおいて、メモリカード１００に格納されたデータを削除する場合の処理を説明するフローチャートである。この処理を実行するプログラムはＲＯＭ２０４に格納されており、ＣＰＵ２０３の制御の下に実行される。尚、この処理は、メモリカード１００のデータフォーマットが図３（Ｂ）の場合に対応している。また図８において、図７と共通するステップは同じ記号で示し、それらの説明を省略する。
【００３９】
Ｓ８０１で、削除対象のデータが例えば図３の３０３、３０５のようなプリンタのＩＤが付与されたデータか否かを判定する。ここでプリンタのＩＤが付与されたデータであると判断した場合は、Ｓ７０４で、このプリンタだけで使用されるデータであるため削除しても問題ないと判断して、そのデータを削除する。
【００４０】
一方、Ｓ８０１で、削除対象のデータがプリンタのＩＤが付加されたデータでない場合、Ｓ８０２で、操作部２０２等の表示部に複数のプリンタで使用可能なデータを削除する旨のメッセージを表示する。それとともに、削除対象のデータを削除するか否かを選択するための画面を表示する。そのデータは複数のプリンタで共通に使用するデータだからである。そしてＳ７０３で、操作部２０２から削除しても問題が無いという指示が入力されるとそのデータを削除し、削除の指示がなければそのデータを削除しない。
【００４１】
このように、メモリカードのデータの削除が指示された場合に、そのデータが、そのプリンタだけで使用されるデータであれば削除するが、複数のプリンタで共通に使用されるデータであれば、ユーザの指示に従って削除するかどうかを決定する。これにより、複数のプリンタで共通に使用されるメモリカードのデータが、或るプリンタに装着されたときに誤って削除されるのを防止できる。
【００４２】
図９は、本発明の他の実施形態に係るプリンタとメモリカードとの関連を説明する図である。
【００４３】
プリンタ２０が、メモリカード１００−ａ、１００−ｂとを同時に２つ装着可能な、ＳＤＩＯＩ／Ｆ（２１０−ａ、２１０−ｂ）を備えている。前述したようにデータが格納されたメモリカード１００を使用する場合、図９において、メモリカード１００−ｂは最初からプリンタ２０で使用され、ＳＤＩＯ・Ｉ／Ｆ（２ｃｈ）２１０−ｂに装着されてプリンタ２０が専用で使用する。一方、メモリカード１００−ａは、他のプリンタと共通で使用されるメモリカードで、ＳＤＩＯ・Ｉ／Ｆ（１ｃｈ）２１０−ａに装着される。
【００４４】
各々のメモリカード１００−ａ、１００−ｂには、前述したように固有データ格納領域３００と共通データ格納領域３０１が確保されている。
【００４５】
各々のメモリカード内のデータを選別し、固有データ格納領域３００に格納されたデータに関しては、プリンタ２０が専用で使用するメモリカード１００−ｂの固有データ格納領域３００のデータを参照する。また共通データ格納領域３０１に格納されたデータに関しては、メモリカード１００−ａ、１００−ｂの各共通データ格納領域３０１のデータで一致するデータがある場合、メモリカード１００−ｂのデータのみを参照する。
【００４６】
また、共通で使用するメモリカード１００−ａに関しては読み出しのみ可能とし、専用で使用するメモリカード１００−ｂは読み出し及び書出しが可能な構成としても良い。
【００４７】
以上説明したように、記憶装置を複数装着可能な場合、一方を自機専用で使用する記憶装置とし、他方を他機と共通して使用可能な記憶装置とする。そして、これら複数の記憶装置に格納されたデータから、他機と共通で使用可能なデータで一致するものは、いずれか一方のデータのみを処理対象とする。これにより、メモリカード１００−ａ、１００−ｂとを同時に２つ装着可能な場合でも、ユーザにメモリカードの選択をほとんど意識させないで、かつメモリカードのデータが不用意に削除されたり更新されるのを防止できる。
【００４８】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2013003608.tif 000003
【図２】
2013003608.tif 000004
【図３】
2013003608.tif 000005
【図４】
2013003608.tif 000006
【図５】
2013003608.tif 000007
【図６】
2013003608.tif 000008
【図７】
2013003608.tif 000009
【図８】
2013003608.tif 000010
【図９】
2013003608.tif 000011